(57)【特許請求の範囲】
【請求項１】
ディスプレイモニターが手前斜上側に向けて置かれ、該ディスプレイモニターの下側手前に略水平に張り出した操作卓を有する業務用ビデオゲーム機と、
キーボードが２つ左右に並んで配置され前記操作卓に被せた前記操作卓より大きいキーボード取付卓を備え、
互いのキーボードの手前縁とキーボード取付卓の手前縁との間に手を置く空間を有し、
前記互いのキーボードの少なくとも一辺をフック部材にて該キーボード取付卓に固定し、
該キーボードの対向する辺近傍の底面部に配されたネジ部を取付けるブラケットを介して該キーボード取付卓に固着することを特徴とするキーボード取付構造を有するビデオゲーム機。
【請求項２】
ディスプレイモニターが手前斜上側に向けて置かれ、該ディスプレイモニターの下側手前に略水平に張り出した操作卓を有する業務用ビデオゲーム機と、
キーボードが２つ左右に並んで配置され前記操作卓に被せた前記操作卓より大きいキーボード取付卓を備え、
互いのキーボードの手前縁と操作卓の手前縁との間には手を置く空間を有し、かつ互いのキーボードは左右やや外側に向けて逆ハの字状に配置し、キーボードの少なくとも一辺をフック部材にて固定し、対向する辺近傍の底面部に配されたネジ部を取付けるブラケットを介して該キーボード取付卓に固着することを特徴とするキーボード取付構造を有するビデオゲーム機。
【請求項３】
ディスプレイモニターが手前斜上側に向けて置かれ、該ディスプレイモニターの下側手前に略水平に張り出した操作卓を有する業務用ビデオゲーム機と、
キーボードが２つ左右に並んで配置され前記操作卓に被せた前記操作卓より大きいキーボード取付卓を備え、
互いのキーボードは少なくとも一辺をフック部材にてキーボード取付卓に固定し、対向する辺近傍の底面部に配されたネジ部を該キーボード操作卓に取付るブラケットを介して固着するとともに、キーボード底面が接する操作卓にキーボードのコードを配して操作卓内に引き込む構造を有することを特徴とするキーボード取付構造を有するビデオゲーム機。
【発明の詳細な説明】
【０００１】
【発明の属する技術分野】
本発明は、業務用ビデオゲーム機の操作卓にパソコン等のキーボードを取付るための構造に関する。
【０００２】
【従来の技術】
業務用ビデオゲーム機の入力手段として、操作卓にジョイスティックや押しボタンが一般的に採用されており、操作者はジョイスティックを倒して八方向の方向から任意の方向を選択指示し、押しボタンを押して、様々な操作を行なうようになっている。
一方、コンピュータ装置における入力手段としては、アルファベットや数字を並べたキーボードや、画面指示を直接行なうマウスを机の上において操作して、各種の入力を行なうことが通常行われている。
【０００３】
一般に業務用ビデオゲーム機では、ゲームを行なうためにはジョイスティックや押しボタンといった入力手段のほうが、容易に操作できることもあり、ゲーム機においては主流を占めている。
近年のパーソナルコンピュータ（パソコン）の発展に伴い、パソコンのキーボード操作ができることは、インターネット時代を迎え必要不可欠となりつつあり、キーボード操作を行なえることは然して専門的ということでもなくなりつつある。
パソコン市場には、入力装置としてキーボードを用いたキータイピングの速さと正確さをゲームにしたタイピング練習ゲームなるものが存在しており、ディスプレイに表示される文字等を正確に入力することができるかどうかで、キータイピング力を向上させるソフトなどが見受けられる。
【０００４】
実開昭６０−１３５７６４号には、パソコンを机に組み込んだパソコン学習・ゲーム装置が開示されている。このパソコン学習・ゲーム装置には、ＣＲＴを見ながらキーボードを操作して学習またはゲームを行なう装置において、各種学習またはゲームを行なうための構成が示されており、ＣＲＴの手前にパソコンのキーボードが机の平面板内に組み込まれ、その手前には２組のジョイスティックや押しボタンが配置されている。
【０００５】
【発明が解決しようとする課題】
ジョイスティックや押しボタンでの入力では、ゲームに興味のない顧客にゲームをさせるには今一つであった。
一方、パソコンでインターネットをするにはキーボードは入力手段として必須となっていた。
そこで普段、キーボード操作になれている人でゲームに興味のない見込み客でも、キーボード操作ならやってみたいと思うゲームや、街中のインターネットカフェでお客にインターネットを行わせる装置を作る際に、その装置専用のキーボードを設計して作るのではコスト的にも高く付くのは避けられない。
【０００６】
実開昭６０−１３５７６４号において、操作者が椅子に座って操作するには、ジョイスティックや押しボタンが２組あり、二人で並んで操作可能であるが、キーボードはジョイスティックと押しボタンの奥側に一つしかない。これでは、二人でキーボード操作するには、一つのキーボードを共有せざるを得ないので、はなはだ不便である。
【０００７】
本願では以上の点に鑑みさなされたもので、業務用ビデオゲーム機において、市販のパソコン等のキーボードを用いて、ビデオゲーム機を操作するためのキーボードの取付構造を提供することを課題とする。さらにキーボード操作を行なうのに無理のない姿勢で、疲れを感じることなく操作できるキーボードの取付構造を提供することを課題とする。
【０００８】
【課題を解決するための手段】
上記課題を解決するために本発明によるキーボード取付構造を有するビデオゲーム機は、業務用ビデオゲーム機の操作卓に２台のキーボードを併設し、互いのキーボードは少なくとも一辺をフック体にて固定保持し、対向する辺近傍の底面部に配されたネジ部を操作卓に取付るブラケットを介して固着することを特徴とする。
上記構成により、キーボードの一辺はフックにより保持され、対向する辺の底面に配したブラケットでネジ止めされ固定することが可能となる。
【０００９】
上記課題を解決するために本発明によるキーボード取付構造を有するビデオゲーム機は、業務用ビデオゲーム機の操作卓に２台のキーボードを併設し、互いのキーボードは少なくとも対向する２辺をフック体にて固定して固着することを特徴とする。
上記構成により、キーボードは何ら加工を伴わず、対向辺に配したフック体にて操作卓に固定することができる。
【００１０】
上記課題を解決するために本発明によるキーボード取付構造を有するビデオゲーム機は、業務用ビデオゲーム機の操作卓に２台のキーボードを併設し、互いのキーボード底面のネジ穴のネジを取り外し、操作卓裏側からネジを装着して操作卓にキーボードを固着することを特徴とする。
上記構成により、キーボードは何ら加工することなく、操作卓にネジでネジ着することが可能となる。
【００１１】
上記課題を解決するために本発明によるキーボード取付構造を有するビデオゲーム機は、業務用ビデオゲーム機の操作卓に２台のキーボードを併設し、互いのキーボードの手前縁と操作卓の手前縁との間に手を置く空間を有し、前記互いのキーボードの少なくとも一辺をフック体にて固定し、対向する辺近傍の底面部に配されたネジ部を操作卓に取付るブラケットを介して固着することを特徴とする。
上記構成により、キーボードの手前に手を置く空間を有するので、キー操作が疲れることなくできるのである。
【００１２】
上記課題を解決するために本発明によるキーボード取付構造を有するビデオゲーム機は、業務用ビデオゲーム機の操作卓に２台のキーボードを併設し、互いのキーボードの手前縁と操作卓の手前縁との間には手を置く空間を有し、かつ互いのキーボードは操作卓の中心から若干斜に配置し、キーボードの少なくとも一辺をフック体にて固定し、対向する辺近傍の底面部に配されたネジ部を操作卓に取付るブラケットを介して固着することを特徴とする。
上記構成によれば、互いのキーボードが外側に向けて斜めに取付られており、２人の操作者が操作しても互いに体が触れ合うことがなく、操作がし易いのである。
【００１３】
上記課題を解決するために本発明によるキーボード取付構造を有するビデオゲーム機は、業務用ビデオゲーム機の操作卓に２台のキーボードを併設し、互いのキーボードは少なくとも一辺をフック体にて固定し、対向する辺近傍の底面部に配されたネジ部を操作卓に取付るブラケットを介して固着するとともに、キーボード底面が接する操作卓にキーボードのコードを配して操作卓内に引き込む構造を有することを特徴とする。
上記構成によれば、キーボードのコードが操作卓上には出ていないので、煩わしくない。
【００１４】
上記課題を解決するために本発明によるキーボード取付構造を有するビデオゲーム機は、業務用ビデオゲーム機の操作卓に２台のキーボードを併設し、互いのキーボードは底面の対向する両側片側にブラケットを設け、片方にフックを設け、他方に鍵体を設けて、操作卓側に夫々フック及び鍵体を係止する構造を有することを特徴とするキーボード取付構造を有することを特徴とする。
上記構成によれば、キーボードに設けたフックと鍵体でキーボードを操作卓に取り外し可能に係止する。
【００１５】
上記課題を解決するために本発明によるキーボード取付構造を有するビデオゲーム機は、業務用ビデオゲーム機の操作卓に２台のキーボードを併設し、互いのキーボードは底面の対向する両側片側にブラケットを設け、片方にネジ穴を設け、他方に蝶番を設けて、操作卓側に夫々ネジ及び蝶番で係止する構造を有することを特徴とするキーボード取付構造を有することを特徴とする。
上記構成によれば、キーボードの片側のブラケットのネジの着脱により、キーボードを蝶番で回転させ操作卓に持上げ可能に取付られる。
【００１６】
上記課題を解決するために本発明によるキーボード取付構造を有するビデオゲーム機は、業務用ビデオゲーム機の操作卓に２台のキーボードを併設し、互いのキーボードは底面に摺動レールを設け、操作卓側には該摺動レールに対応する係止レールを有することを特徴とするキーボード取付構造を有することを特徴とする。
上記構成によれば、キーボードの底面に設けた摺動レールと操作卓の摺動レールとの間で摺動させて操作卓にキーボードを取付ることができる。
【００１７】
上記課題を解決するために本発明によるキーボード取付構造を有するビデオゲーム機は、業務用ビデオゲーム機の操作卓に２台のキーボードを併設し、互いのキーボードは底面に爪部を設け、操作卓側には該爪部に対応する係止穴を有することを特徴とするキーボード取付構造を有することを特徴とする。
上記構成によれば、キーボード底面に設けた爪部を操作卓の係止穴に挿入して取付ができる。
【００１８】
上記課題を解決するために本発明によるキーボード取付構造を有するビデオゲーム機は、キーボードを操作卓に固定する各種の取付部材を操作卓に固定するにあたり、操作卓の裏側から固定することを特徴とする。この構成により、いたずらして取り外されることがない。
【００１９】
また、上記課題を解決するために本発明によるキーボード取付構造を有するビデオゲーム機は、操作卓をキーボードの外形に合わせて刳りぬき、刳り貫いた空間にキーボードを配することを特徴とする。これによりキーボードの操作面が操作卓面と同一となり、操作がしやすくなる。
【００２０】
さらに上記課題を解決するために本発明によるキーボード取付構造を有するビデオゲーム機は、操作卓のキーボード全面を覆うカバー体を設け、該カバー体はキーボードの操作卓の固着部にて固着する構造であることを特徴とする。
この構成により、キーボードのキーへの異物の侵入が防ぐことができ、故障が少なくできる。
【００２１】
上記課題を解決するために本発明によるキーボード取付構造を有するビデオゲーム機は、業務用ビデオゲーム機の操作卓に２台のキーボードのコードを硬質補強チューブで包み、操作卓上で任意位置に移動して操作可能に配置したことを特徴とする。
上記構成によれば、キーボードから出ているコードが補強されているので、キーボードを移動自在に操作卓上に置くことができるので、操作者が操作し易い位置にて操作することが可能となる。
【００２２】
【発明の実施の形態】
以下、本発明に係るキーボード取付構造を有する業務用ビデオゲーム機の実施形態を図面に示した実施例を参照して説明する。
【００２３】
【実施例】
（第１実施形態）
図１は、本発明のキーボード取付構造を有する業務用ビデオゲーム機の斜視図を示す。
図２には本業務用ビデオゲーム機の側面図を示し、図３には同平面図を示す。
【００２４】
ビデオゲーム機１００は、一般には日本語ではテレビゲーム、専門的あるいは欧米ではビデオゲーム（video game）と称され、主としてゲームセンター等に設置されるタイプでアップライト型と一般に呼ばれており、遊戯者が立ってゲームを行なう遊戯装置である。
遊戯者が立った状態での顔の対面位置に表示面を手前斜上側に向けてＣＲＴや液晶モニター等のディスプレイモニター１が置かれ、ディスプレイモニター１は斜め後方に傾斜させた左右の立脚部２に固定されており、立脚部２は床面に達し、左右の立脚部２の床面側後方には方形矩形状態のベースユニット３が位置し、立脚部２をベースユニット３の手前側側面に固定しビデオゲーム装置全体を後方に倒れないように安定させ保持する。ディスプレイモニター１の上側には台形状のビルボード板４が取付られ、通常ゲーム名が表示される。
【００２５】
ディスプレイモニター１の下側手前には略水平に操作卓部５が張り出している。操作卓部５の右側奥にはコイン投入口６が設けられ、操作部を左右に２分して主にパソコンに使用されるキーボード７ａ、7ｂが左右やや外側に向けて逆ハの字状に操作卓部５に固着されている。ベースユニット３には図示しない電源ボードやゲームボードが内蔵されており、キーボード７ａ、７ｂからの入力を処理し、その結果を映像としてディスプレイモニター１に映し出すのである。
ベースユニット３にはゲームボード以外に、コンパクトディスクあるいはデジタルビデオディスク等の円板形記録媒体の駆動装置を搭載するとともに、外部とのデータ通信を行なうモデム等を搭載していてもよい。
【００２６】
本ビデオゲーム機１００に電源を投入することにより、ゲームボードにおいてコンピュータソフトウエアを記録した記録媒体からプログラムを読み取り、このプログラムに従って、映像を生成してディスプレイモニター１に本ゲームの映像を映し出し、遊戯者がコイン投入口６に硬貨等である遊戯代金を投入することにより、ディスプイモニター１に映る動画映像を見ながら、ゲーム等を楽しむことができる。
【００２７】
図４には操作卓部分の拡大側面図を示す。キーボード７は一般に市販されているパソコンや家庭用ゲーム機等に用いる硬質樹脂製の製品を用いており、操作卓部５に載置されている。
キーボードとは、キーを押すことにより、コンピュータやビデオゲーム機等の電子情報処理装置にプログラムやデータを入力する装置である。日本製のパソコンのキーボードは、アルファベットや数字、カタカナ、ひらかな等を入力できるようになっているのが普通であり、キー配置の多くがJIS配置になっている。通常ビジネスで用いられるキーボードは、キーボードをパソコン本体に接続し、ディスプレイ装置を見ながら、操作者がキーボードのキーを押してパソコンに仕事を指示したり、データを伝えたりする。
【００２８】
現在市販されているパソコン等のキーボードは操作面が若干手前側に傾斜しているのが普通であり、この方が入力操作がし易いのである。
このキーボード７も操作面が手前側に若干傾斜するようにキーボード裏面後方に足部が設けてあり、キーボード面を手前側に傾斜させている。このキーボードの手前側をフック部材３０で、キーボードの後方底部をブラケット部材４０でキーボード取付卓２０に固定するのである。
【００２９】
図５には操作卓部の分解斜視図を示す。この操作卓部５は操作卓下部８と操作卓上面部９が手前側に設けた蝶番１０にて開閉可能に取付てあり、操作卓下部に取付けた鍵１１にて外部から操作卓内部のフック１２を外して、操作卓上面部９が手前上側に開くようになっている。操作卓部内部にはコインシュート１３や、各種のコネクタ取付部１４が設けてある。
操作卓上面部９は操作卓面のコイン投入口６の後方側からコイン投入口６と共に分割できるようになっており、ジョイスティックや押しボタンを取付る部分は操作卓上面の手前側を矩形状の開口１５となっており、この開口１５にゲーム内容に合わせてジョイスィックやボタンを配置した鉄板製のコントロールパネルを取付るのである。
【００３０】
操作卓部５はキーボード７を２つ左右に配置可能にするために、ビデオゲーム機の本来の操作卓では狭いために、一回り大きくするために木製のキーボード取付卓２０を本来の操作卓上面部９に被せてキーボード７ａ、７ｂの２つを左右に並べても操作がし易いようにしている。
【００３１】
図６にはキーボード取付卓の平面図と中央縦断面図を示している。（ａ）は同平面図であり、（ｂ）は同中央断面図である。平面図中の点線で表した部分は操作卓上面部９を示しており、キーボード取付卓２０はこれより一回り大きくなっている。さらに一点鎖線で示した部分は操作卓上面部の開口１５を示しており、平面図中、実線の丸穴部２１はキーボード取付卓表面からＴナットが取付けてある。実線の長ら溝２２はキーボード７のコードを配するためにキーボード取付卓の表面部に長らの溝が設けてあり、開口１５側で貫通穴２３が開口している。さらに点線の丸穴はフック固定穴２５であり、キーボード取付卓裏面にＴナットが取付てある。
【００３２】
キーボード取付卓の上側にある２ケ所の点線の丸穴は、ブラケット固定穴２４であり、下側にある６つの点線の丸穴は、フック固定穴２５となっている。フック固定穴２５は、左右３つずつ設けてあり、夫々のキーボードの手前側を固定するためにフックをキーボード取付卓２０に固定するための穴である。それぞれ３つのフック固定穴２５は直線状に並んでおり、２つの直線は左右の後方に若干傾斜を有し、２つのキーボードを若干外側に向けるようにしてあり、この直線に平行にキーボード取付卓の前面縁を構成している。これにより、キーボードの前縁とキーボード取付卓の前縁との間はある程度空間ができ、この空間にキーボード操作時に操作者の手を置くことができ、これにより長時間キーボードでの入力操作が疲れることなく容易にできる。
【００３３】
図７にはキーボード取付卓を本来の操作卓に取付けるための斜視図を示す。操作卓上面部９の矩形状の開口１５を塞ぐコントロールパネルに該当する矩形板１６にはキーボードのコードを通す開口１７を設け、その矩形板１６を開口１５に矩形板角部及び中央側部のネジ穴１８で操作卓上面部９にネジ止めする。該矩形板１６にはキーボード取付卓の裏面の実線及び点線の丸穴部２１、フック固定穴２５に対応する位置にネジ穴が開口しており、実線の丸穴部２１は矩形板１６をキーボード取付卓２０に固定するためのネジ穴であり、キーボード取付卓２０の裏側にネジを入れて固定する。これにより被せ操作卓となるキーボード取付卓２０は本来の操作卓上部９に固定することができるのである。
【００３４】
図８にはキーボード手前側をキーボード取付卓に固定するフック部材を示す。このフック部材３０を用いてキーボード手前側をキーボード取付卓に固定する。このフック部材３０は横長で断面がＪ字を寝かした形状でフック部３１を有し、Ｊ字の背丈部３２の下側に溶接ボルト３３が３ケ所固着してある。このＪ字はキーボードの手前部の厚さの形状に合わせてあり、キーボードの手前側が丸みを有していればその丸みに合わせてあり、キーボードの手前側が方形体状に角張っていればそれに合わせて角張る形状とする。
【００３５】
該フック部３１の横幅は取付けるキーボードの幅より若干短く、横幅両側にはキーボードの底面に突出している滑り止め用のゴム製の円板状の足部位置に丸穴３４が開口している。この丸穴３４にキーボードの底面の足部が位置することにより、足部の厚みがこのフック部材３０の厚みと略同一とすることにより、キーボードがフック部材３０の左右にずれることを防止する。上記のフック部材の溶接ボルト３３をキーボード取付卓の点線のフック固定穴２５に挿入させてキーボード取付卓の裏側からナットで固定する。
【００３６】
図９にはキーボードの後方底面を固着するブラケットを示す。キーボードの底面は、図４に示す如く操作がし易いように操作面を手前側に若干傾斜を設けるのが通常であり、この状態ではキーボード後方底面は床面から浮いており、この状態でキーボードの後方底面を固定するために段違いになっている横長のブラケット４０を用いる。
このブラケット４０はキーボードの傾斜に合わせてキーボード底面に接する傾斜した段違い部４１を有し、この段違い部４１にはキーボード裏面にあるネジ穴位置に合わせてネジ穴４２を有している。キーボードのネジ穴はキーボードの天板部と底板部を固着するものであり、ブラケット４０にキーボードを固着するには、キーボード後方底面のネジを一旦外し、取り外したネジより若干長いネジ７ｃをブラケットのネジ穴４２からキーボード底面のネジ穴に挿入してネジ止めする。
【００３７】
そしてブラケット４０が固着されたキーボード７を前記したキーボード取付卓に固定されたフック部材３０にキーボードの手前部を差し入れて固定するとともに、キーボードから延出しているコードはキーボード取付卓２０の長ら溝２２を介してキーボード底面の内側を配して貫通穴２３、矩形板の開口１７を通して操作卓上面部の内部に導き、操作卓部の内部で予め用意されているコネクタに接続する。そして、キーボードの後方底部に取付けたブラケットの取付部４３にはキーボードの底面に突出している滑り止め用のゴム製の円板状の足部位置に丸穴４４が開口している。足部の厚みがこのブラケット４０の厚みと略同一とすることにより、キーボードの底面がブラケット４０に当接する。
【００３８】
ブラケット４０の取付部の長ら穴４５はキーボードの底面からキーボードの外側にかけて開口し図４、図６に示すとおり、キーボード取付卓２０の奥側の点線のブラケット固定穴２４に合わせて外側から特殊ネジ４６でネジ止めする。特殊ネジ４６はネジ頭が通常の＋や−のネジ頭と異なる特殊形状（例えば三角形や星型等）のネジ頭となっており、通常の＋や−ドライバーでは回すことが出来ないようになっている。これにより、特殊工具を有さない一般人が特殊ネジ４６を回すことができない。
【００３９】
ここで、キーボード７とフック部材３０とブラケット４０とキーボード取付卓の位置関係を説明する。フック部材３０の溶接ボルト３３はキーボード取付卓のフック固定穴２５に嵌め入れられキーボード取付卓の裏側からナット３５で固定される。キーボード７は底面からネジで操作面側の天板部と底板部が固定されており、このネジを外してブラケットのネジ穴４２から新たにネジ７ｃを入れてキーボードを固定している。このネジ７ｃはブラケット４０を介するために元のネジより若干長くなっている。ブラケットの長ら穴４５はキーボードの底面から外にかけて開口しており、キーボード取付卓のブラケット固定穴２４に外部から特殊ネジ４６でネジ止めされるのである。
【００４０】
（第２実施形態）
図１０に本願の別実施例として鍵付のキーボード取付構造を示す。図１乃至図３及び図５については第１実施形態に同様であるため説明を省略する。
図１０（Ａ）には、キーボードのブラケットにシリンダキーを取付た斜視図を示し、図１０（Ｂ）には前記キーボードをキーボード取付卓に取付た側面の断面図を示す。
キーボード７は後方底面と手前底面にキーボードの底板部と天板部とを固定するために底板部側からネジで固着されている。キーボードの後方底面には後方ブラケット５０が取付られている。後方ブラケット５０は断面がＬ字の上方を左に折曲した上平部５１としてあり、Ｌ字の柱部５２とＬ字の底部５３とからなる断面形状を有しており、後方ブラケット５０の長さはキーボードの略横幅としてある。
【００４１】
これにより後方ブラケット５０は上平部５１と底部５３が平行であり、上平部５１にはキーボード後方底面の底板部と天板部をネジ着しているネジ５４に対応する位置にネジ穴が設けてある。このネジ５４は直線上に等間隔で３乃至4個所配置されているのが通常である。
この後方ブラケット５０をキーボードに取付るには、キーボードの底板部と天板部をネジ着しているキーボード後方底面のネジを取り外し、後方ブラケット５０の上平部５１のネジ穴から先に取り外したネジよりも長いネジ５４を差し込み、キーボードの底板部を天板部に固定する。ここで上板部５１は、キーボード後方端から底面内側位置で柱部５２に接していることが望ましい。
【００４２】
前方ブラケット５５は、キーボード７の手前底面に取付られている。前方ブラケット５５は矩形形状で長さはキーボードの略横幅で、縦はキーボード手前底面で底板部と天板部をネジ着しているネジ位置に対応するネジ穴を有し、キーボード手前側に突出する位置にシリンダキー６０を設けられる程度の寸法である。
前方ブラケット５５をキーボード７に取付るには、キーボードの手前底面のネジを取り外し、前記キーボードの手前底面のネジ位置に対応するネジ穴に合わせて前方ブラケット５５をあてがい、該前方ブラケット５５のネジ穴から、当初取り外したネジよりも若干長いネジ５６でキーボード７の底板と天板をネジ着する。
【００４３】
前方ブラケット５５のキーボード手前から突出している中央位置には、シリンダキー６０が取付られている。シリンダキー６０のシリンダ部６１は、前方ブラケット５５の下に位置しており、シリンダ部６１下部には舌片６２がナット６３でシリンダキー６０にネジ着されており、図示しないキーをシリンダキー６０に挿入して回動することにより、舌片６２を回動させることができる。
他方、キーボード取付卓２０には、キーボード７を取付る位置にキーボードの略底面形状の開口２６を設けてあり、後方ブラケット５０及び前方ブラケット５５を取付たキーボード７を開口２６にはめ入れて、キーを用いてシリンダキー６０を回すことにより、キーボード7をキーボード取付卓２０に固定する。
【００４４】
開口２６の後方縁は後方ブラケットの柱部５２の高さ分下げた位置で底部５３を嵌合させる凹状の横溝２７ａが後方ブラケット５０の横幅に合わせて横設されている。
開口２６の前縁は前方ブラケット５５をキーボード取付卓２０の面位置にあわせるために段差２７ｂが設けられている。前方ブラケット５５を段差２７ｂで面位置を合わせた状態で、シリンダキーの舌片６２が回動する位置では開口２６の壁に凹状の横溝２７ｃが設けてある。
上記した構造により、後方ブラケット５０及び前方ブラケット５５を固定したキーボード７をシリンダキーの舌片６２を横にして開口２６にあてがいキーボードの後方ブラケット５０の底部５３を横溝２７ａに嵌めいれるようにして前方ブラケット５５に取付けたシリンダキーの舌片６２を開口２６に入れる。
【００４５】
そして後方ブラケットの底部５３をこの横溝２７ａに合わせてキーボード７を後方に押し込むことにより、キーボードの底面をキーボード取付卓面に密着させ、前方ブラケット５５の前端をキーボード取付卓の段差２７ｂに内設させ、キーにてシリンダキー６０を回転させ、舌片６２を縦位置にし横溝２７ｃに挿通して固定する。
これによりキーボード７は、後方ブラケットの底部５３と前方ブラケットの舌片６２が開口の横溝２７ａ、２７ｃに嵌り、キーボード取付卓２０に固定することができる。キーボード７を取り外す場合には、キーでシリンダキー６０を回転させ、舌片６２を横溝２７ｃから外してキーボード７を手前側に引きながら持上げることにより、後方ブラケットの底部５３を横溝２７ａから外すことができる。
【００４６】
（第３実施形態）
以下に第３実施形態を図面に基づき説明する。図１１は蝶番を用いたキーボード取付構造の側面図である。図１乃至図３及び図５については第１実施形態を同様であるため省略する。
図１１（Ａ）は蝶番を用いた取付構造によりキーボード取付卓にキーボードを取付た側面図であり、図１１（Ｂ）はキーボードを蝶番で手前に持上げた側面図である。
【００４７】
キーボード７の後方底面にあるキーボードの底板部から天板部を固定するネジを取り外し、後方ブラケット７０をネジ着して取付る。後方ブラケット７０はキーボードの略横幅の長さを有し、縦幅はキーボードの底板後方位置からキーボードの後方へ突出する矩形板である。後方ブラケットのキーボード底板部に位置するネジ穴には先に取り外したネジよりも多少長いネジ７１を挿螺してキーボードの底板部と天板部を固定する。そしてキーボードから後方に突出した後方ブラケット７０にはネジ穴が設けられ、特殊ネジ７２にてキーボード取付卓２０に後方ブラケット７０をネジ着する。
【００４８】
キーボードの手前底面には蝶番７５が設けてある。蝶番は２枚の矩形板同士を端部でかみ合わせ回動軸を貫通して回動自在にした構造である。キーボード手前底面の底板部から天板部を固定するネジを取り外し、蝶番の上板７６のネジ穴から平頭ネジ７７でキーボードの底面部、天板部をネジ止めする。
ここで、蝶番のネジ穴がキーボードのネジ穴と寸法が合わない場合は、蝶番の上板を矩形板に溶接等取り外しできないように取付、該矩形板のキーボードの手前底面のネジ位置に対応させてネジ穴を設けて蝶番をネジ止めする。
蝶番７５の回動軸はキーボード7の手前端から手前に位置し、蝶番の下板７８はキーボード取付卓２０にネジ７９で固定される。
これによりキーボード７は、キーボードの後方ブラケット７０の特殊ネジ７２を特殊ドライバーにて取り外し、蝶番７５でキーボード７を手前上側に回転させて持上げ、蝶番の上板のネジ７７を外すことによりキーボード７をキーボード取付卓２０から取り外すことができる。
【００４９】
キーボード７をキーボード取付卓２０に取付るには、キーボードの後方底面のネジを取り外し、取り外したネジよりも多少長いネジ７１を用いて後方ブラケット７０のネジ穴からキーボードの底板部と天板部をネジ止め固定する。そして次に蝶番７５の上板７７を直立に立ててキーボードの手前底面のネジを取り外し、蝶番の上板のネジ穴から取り外したネジより多少長い平頭ネジ７７で、キーボードの底面部と天板部をネジ止め固定する。
【００５０】
次に図示していないが、キーボード取付卓のキーボードが配置される位置に設けた開口にキーボードのコードを挿通して、操作卓内に設けてあるコネクタ部に接続する。
最後にキーボード７をキーボード取付卓２０に倒し、後方ブラケット７０に設けたネジ穴から特殊ネジ７２を用いてキーボード取付卓２０に特殊ドライバーで取付固定する。
【００５１】
（第４実施形態）
次に第４実施形態を説明する。図１２はスライドレール構造を有する取付機構を示す。図１２（Ａ）はキーボード取付卓にキーボードを取付た側面断面図であり、図１２（Ｂ）はキーボード取付卓の部分斜視図を示す。
キーボード７の後方底面及び前方底面には夫々、長さがキーボードの略横幅で断面形状が階段状の二段になったレール８０、８２が段差部をキーボードの底面内側に向けて互いに平行関係を保ち固定されている。レール８０、８２はキーボードの底板部と天板部をネジ止めしてあったネジを取り外し、そのネジより多少長いネジ８１、８３を用いてレール８０、８２をキーボードの底面部と天板部とにネジ止し固定している。
【００５２】
キーボード取付卓２０のキーボード配置部分には凹状の空間２７が設けられている。この空間２７は、縦はキーボード底面の縦方向よりやや狭く、長さはキーボード取付卓の側面縁からキーボード配置部まで達し、深さはレール８０、８２の断面の段差部よりもやや深い断面凹状の空間である。本願では図３に示す如く２つのキーボード７ａ、７ｂがキーボード取付卓に逆ハ字状に取付るので、上記空間２７もキーボード取付卓２０の左右の両端から逆ハ字状に設けてある。
【００５３】
図１２（Ａ）に示す如く、空間２７の底面にはキーボード7に底面に取付たレール８０、８２の段差部に摺接可能な段差部を有するレールが８４、８６がネジ８５、８７にて取付られている。
つまりレール８０に対応してレール８４が空間２７の床面にネジ８５で固定され、レール８２に対応してレール８６が空間２７の床面にネジ８７で固定される。このレール８４、８６は平行に配置されている。
図１２（Ｂ）に示す如く、キーボード取付卓２０の縁面からレール８４、８６の段差部に対し、キーボードの底面のレール８０、８２の段差を互いに外れないように噛み合わせてスライドさせることにより、キーボード７は互いの段差部を摺動させて、キーボード取付卓２０の内側に押し込むことができる。
【００５４】
キーボード７を取付るには、キーボード７の底面の後方端及び手前端がキーボード取付卓２０の表面に接しながら、キーボード７を押し込み、キーボード７を定位置まで押し込むことができる。キーボード７が図３に示す定位置に達すると、キーボード取付卓２０の縁面に塞ぎ部材８８をあてがい空間２７の縁面を塞ぐ。
塞ぎ部材の上側はキーボード取付卓の上面に一致するように内側に折曲った折曲片８８ａを有しており、キーボード7に設けたレール８０、８２の端部を折曲片８８ａが当接し、特殊ネジ８９で塞ぎ部材８８をキーボード取付卓２０の縁部にネジ止め固定する。これによりキーボード7はキーボード取付卓２０に固定され、開口２７はキーボード７の底面で塞がれてしまう。
キーボード７を取り外すには、キーボード取付卓２０の縁部に固定した塞ぎ部材８８の特殊ネジ８９を外し、塞ぎ部材８８を取り除いて、キーボード７をレール８４、８６に沿って摺動させてキーボード取付卓２０から引き出す。
【００５５】
図１３には、第４実施形態の変形例としてのスライドレール構造を有するキーボード取付卓にキーボードを取付た側面断面図を示す。
ここで使用されるキーボード７はキーボードの底面部と天板部とを固定するネジが、キーボード側面からみて底面中央部分に位置している。
レール９は、山高帽を低くした縦断断面形状の如く断面を有し、長さがキーボードの略横幅である。このレール９０の天井中央部にキーボード底面中央部のネジ穴位置に対応してネジ穴を開け、キーボード底面中央を固定しているネジを取り外し、取り外したネジより多少長いネジ９１で該レール９０のネジ穴からキーボードの底面部と天井部をネジ着し固定する。これによりレール９０がキーボード底面中央に横方向に取付られる。
【００５６】
キーボード取付卓２０のキーボード配置部分には図１２に示した空間２７と同様の空間２８が設けられている。この空間２８は、縦はキーボード底面の縦方向よりやや狭く、長さはキーボード取付卓の側面縁からキーボード配置部まで達し、深さはレール９０の断面の両側の鍔部よりもやや深い断面凹状の空間である。空間２８の底面にはレール９０の両側の鍔部の上側に摺動可能な２段の階段状のレール９２、９４が両側に位置し、ネジ９３、９５で固定されている。
これにより、図１２同様にキーボードをキーボード取付卓の縁面の開放部からキーボードのレール９０をレール９３、９５に摺動させて押し込み、図１２（Ｂ）に示した塞ぎ部材８８でキーボード取付卓２０に固定する。
【００５７】
図１４に第５実施形態としてのキーボードとキーボード取付卓の側面断面図を示す。キーボード７は後方底面と手前底面にキーボードの底板部と天板部とを固定するためにネジが捻じ込まれて固着されている。そこで、キーボードの後方底面には断面Ｌ字の爪部９６が取付けられている。爪部９６は断面がＬ字の一端に爪が設けられ、爪の無い片をネジ９７にてキーボード底面後方のネジ穴から底面部と天井部を固定している。
【００５８】
キーボード前側底面には同様に爪部９８がネジ９９にて底面部と天井部とをネジ着固定している。この爪部９６、９８は各ネジ穴毎の部品であってもよく、または後方、前方底面のネジ穴に沿った一体となった部材として、適宜間隔で爪部が形成されていてもよい。
キーボード取付卓２０には、キーボード取付位置においてキーボード底面の爪部に対応する位置に開口２９を夫々設け、開口２９の深さは爪が係止する深さとしてある。
【００５９】
これによりキーボード７の底面に取付た爪部９６、９８をキーボード取付卓の開口２９に圧入して挿入することにより、爪部９６、９８の弾性変形により爪部が開口２９を貫通して、爪部９６、９８が開口２９の奥で係止してキーボード７が固定される。
キーボード７をキーボード取付卓から外すにはキーボード取付卓の裏側から爪部９６、９８の爪を開口２９から外すように付勢させて開口２９から抜き出しキーボード７を取り外すのである。
【００６０】
上記第１実施形態の説明では、キーボード手前側をフックで固定し、後方部をブラケットからネジで固定したが、これに限らず、キーボード側部を固定してもよく、さらにはキーボードの四方をフックあるいは、ブラケットで固定してもよいのは勿論である。
またキーボードの底面全体がキーボード取付卓に接するのであれば、キーボードの操作面と底面を固着しているネジを取り外してキーボード取付卓裏面から操作卓と一体となるようにキーボードの取付ネジを新たに入れて固定する方式でもよい。
【００６１】
さらに、キーボード取付卓をキーボードの外形に合わせて刳りぬいて、その刳り貫かれた空間にキーボードを配し、前述した方法にて固定してもよい。この場合は操作卓面にキーボードが配されることになる。
さらにまた、キーボード２つが十分に併設可能な面積を有する操作卓上面であれば、キーボード取付卓を介さずともフックやブラケットを直接に操作卓に取付て固定する方法でもよい。
【００６２】
また、第２実施形態において、鍵位置は前方ブラケットに取けたが、これは前後入れ替えて、後方ブラケット側に鍵を取付てもよい。あるいは取付ブラケットをキーボードの左右にそれぞれ設けた場合は、左右いずれかのブラケット側に鍵を取付ればよい。
また第３実施形態の蝶番構造についても後方ブラケットと入れ替えることも可能である。
【００６３】
さらにキーボードの操作面には埃やチリや水等を防ぐために操作面全体を覆う透明ゴムや軟質樹脂製のカバー体で包み込み、該カバー体が取り外せないようにフックやブラケットと一緒に固定することにより、より故障の少ないキーボードを得ることが可能となる。
また、本願ではキーボードを操作卓に固定する方法としてあるが、これはキーボードのコードをキーボード側でコードが剥き出しにならない様にキーボード側にソケットを有する金属性のスパイラルチューブやフレキシブルチューブで覆うことにより、コードを操作卓上でキーボードの外部に出すことにより操作卓上である程度、操作者が好きに移動できる形にすることも可能である。これによりより操作がし易い位置にキーボードを置いて操作が可能となる。
【００６４】
キーボードの天板部と底面部との分割面にコードの引き出し口が形成されている場合に、この引き出し口に側面の径が引き出し口より大きい円錐状の渦巻きバネの大径部をキーボード内側に入れて、渦巻きバネの小半部をキーボード外側に出し、キーボードのコードを挿通した可撓性があり容易に切れないスパイラルチューブの一端に渦巻きバネの小径部を捻じ込む等して容易に取り外せないように取付る。
そして、スパイラルチューブで覆われたコードの他端をキーボード取付卓後方に開口した穴からキーボード取付卓内に入る。
これにより、キーボードはキーボード取付卓上を多少は自由に移動させることができ、且つ、コードを切り取る等のいたずらをしても、スパイラルチューブは容易に切り取れないのである。
【００６６】
【発明の効果】
本願発明によれば、パソコン等のキーボードを何ら加工することなく、業務用ビデオゲーム機等の操作卓に被せて固定するキーボード取付構造を設けたので、市販のキーボードが容易に操作卓に取付ることが可能となる。さらに本願ではキーボードが損傷した場合でもキーボード取付卓から容易にキーボードを取り外すことが可能であり、メンテナンス性がよい。本願では業務用ビデオゲーム機において市販のパソコン等のキーボードを用いて、ビデオゲーム機を操作するためのキーボードの取付構造を提供する。しかもキーボード操作を行なうのに無理のない姿勢で、疲れを感じることなく操作できるキーボードの取付構造を提供している。
【００７０】
以下に本発明による請求項毎の効果を述べる。請求項１記載の発明によるキーボード取付構造を有するビデオゲーム機は、業務用ビデオゲーム機の操作卓にキーボード取付卓を被せて２台のキーボードを併設し、互いのキーボードの手前縁とキーボード取付卓の手前縁との間に手を置く空間を有し、前記互いのキーボードの少なくとも一辺をフック体にて固定し、対向する辺近傍の底面部に配されたネジ部を取付るブラケットを介してキーボード取付卓に固着するので、キーボードの手前に手を置く空間を設けることができ、キー操作が疲れることなくできるのである。
【００７１】
請求項２記載の発明によるキーボード取付構造を有するビデオゲーム機は、業務用ビデオゲーム機の操作卓にキーボード取付卓を被せて２台のキーボードを併設し、互いのキーボードの手前縁とキーボード取付卓の手前縁との間には手を置く空間を有し、かつ互いのキーボードはキーボード取付の中心から逆ハの字状に若干斜に配置し、キーボードの少なくとも一辺をフック体にて固定し、対向する辺近傍の底面部に配されたネジ部を操作卓に取付るブラケットを介して固着するので、互いのキーボードが外側に向けて斜めに取付られており、２人の操作者が操作しても互いに体が触れ合うことがなく、操作がし易いのである。
【００７２】
請求項６記載の発明によるキーボード取付構造を有するビデオゲーム機は、業務用ビデオゲーム機の操作卓にキーボード取付卓を被せて２台のキーボードを併設し、互いのキーボードは少なくとも一辺をフック体にて固定し、対向する辺近傍の底面部に配されたネジ部を操作卓に取付けるブラケットを介して固着するとともに、キーボード底面が接せるキーボード取付にキーボードのコードを配して操作卓内に引き込む構造を有するので、キーボードのコードがキーボード取付卓上には出ていないので、煩わしくない。
【図面の簡単な説明】
【図１】本願発明のキーボードの取付構造を有する業務用ビデオゲーム機の斜視図である。
【図２】本業務用ビデオゲーム機の側面図である。
【図３】本業務用ビデオゲーム機の平面図である。
【図４】操作卓部分の拡大側面図である。
【図５】本来の操作卓の分解斜視図である。
【図６】被せ操作卓の平面図と中央縦断面図である。
【図７】キーボード取付卓を本来の操作卓に取付るための斜視図である。
【図８】キーボード手前側をキーボード取付卓に固定するフック部材である。
【図９】キーボードの後方底面を固着するブラケットである。
【図１０】第２実施形態としての鍵付のキーボード取付構造である。
【図１１】第３実施形態の蝶番を用いたキーボード取付構造の側面図である。
【図１２】第４実施形態のスライドレール構造を有する取付構造である。
【図１３】第４実施形態の変形例としてのスライドレール構造を有するキーボード取付卓にキーボードを取付た側面断面図である。
【図１４】第５実施形態としてのキーボードとキーボード取付卓の側面断面図である。
【符号の説明】
１００…ビデオゲーム機
１…ディスプレイモニター
２…立脚部
３…ベースユニット
４…ビルボード板
５…操作部
６…コイン投入口
７…キーボード
８…操作卓下部
９…操作卓上面部
１０…蝶番
１１…鍵
１２…フック
１３…コインシュート
１４…コネクタ取付部
１５…開口
１６…矩形板
１７…開口
１８…ネジ穴
２０…キーボード取付卓
２１…丸穴部
２２…長ら溝
２３…貫通穴
２４…ブラケット固定穴
２５…フック固定穴
２６…開口
２７…空間
２７ａ…横溝
２７ｂ…横溝
２７ｃ…横溝
２８…空間
２９…開口
３０…フック部材
３１…フック部
３２…背丈部
３３…溶接ボルト
３４…丸穴
４０…ブラケット
４１…段違い部
４２…ネジ穴
４３…取付部
４４…丸穴
４５…長ら穴
４５…特殊ネジ
５０…後方ブラケット
５１…上平部
５２…柱部
５３…底部
５４…ネジ
５５…前方ブラケット
５６…ネジ
６０…シリンダキー
６１…シリンダ部
６２…舌片
６３…ナット
７０…後方ブラケット
７１…ネジ
７２…特殊ネジ
７５…蝶番
７６…上板
７７…ネジ
７８…下板
７９…ネジ
８０…レール
８１…ネジ
８２…レール
８３…ネジ
８４…レール
８５…ネジ
８６…レール
８７…ネジ
８８…塞ぎ部材
８９…特殊ネジ
９０…レール
９１…ネジ
９２…レール
９３…ネジ
９４…レール
９５…ネジ
９６…爪部
９７…ネジ
９８…爪部
９９…ネジ
【図１】
0004747414.tif 000002
【図２】
0004747414.tif 000003
【図３】
0004747414.tif 000004
【図４】
0004747414.tif 000005
【図５】
0004747414.tif 000006
【図６】
0004747414.tif 000007
【図７】
0004747414.tif 000008
【図８】
0004747414.tif 000009
【図９】
0004747414.tif 000010
【図１０】
0004747414.tif 000011
【図１１】
0004747414.tif 000012
【図１２】
0004747414.tif 000013
【図１３】
0004747414.tif 000014
【図１４】
0004747414.tif 000015